(57)【要約】【課題】ハブに装着された針管が、穿刺可能な状態において、誤穿刺防止用シールド内への移動が不能で、かつ回動可能である医療用針装置を提供する。【解決手段】針管１が装着されたハブ２の先端部外周面に、シールド筒４ａの内径を超えて突出する高さの凸部１１が形成され、シールド筒の内壁に、先端から後端近傍に亘って延在するゲート溝１２ａが形成され、ゲート溝は先端部において凸部が嵌合可能な寸法を有する。凸部がシールド筒の先端から露出した状態でハブはシールド筒に対して回動可能であり、凸部がゲート溝の先端と対向しない回動位置では、凸部とシールド筒先端面との係合により、ハブはシールド筒後端側へ移動不能なように位置規制される。凸部がゲート溝の先端と対向する回動位置では、凸部はゲート溝内を摺動可能で、ハブを移動させて針管の先端をシールド筒内に収納することができる。【選択図】　図１
2004089674.tif 000002
【特許請求の範囲】
【請求項１】
略円筒状のシールド筒を本体とする誤穿刺防止用シールドと、前記シールド筒内に軸方向に移動可能なように挿入され後端部に輸液チューブを接続可能なハブと、前記ハブの先端部に装着された針管とを備え、前記シールド筒の内腔に前記針管の先端を収納可能なように構成された誤穿刺防止用シールド付き医療用針装置において、
前記ハブは、先端部の外周面の一部に、前記シールド筒の内径を超えて突出する高さを有する凸部を有し、前記シールド筒は、その内壁に、先端から後端近傍に亘って軸方向に延在するゲート溝が形成され、前記ゲート溝は、先端部において前記ハブ先端部の凸部が嵌合可能な寸法を有し、
前記凸部が前記シールド筒の先端から露出した状態において、前記ハブは前記シールド筒に対して回動可能であり、
前記凸部が前記ゲート溝の先端と対向しない回動位置においては、前記凸部と前記シールド筒の先端面との係合により、前記ハブが前記シールド筒後端部側へ移動不能なように位置規制され、
前記凸部が前記ゲート溝の先端と対向する回動位置においては、前記凸部は前記ゲート溝内を摺動可能であることを特徴とする誤穿刺防止用シールド付き医療用針装置。
【請求項２】
前記シールド筒は前記ゲート溝の後端に隣接して形成された係合孔を有し、前記ゲート溝は、前記シールド筒の内壁面からの深さが、後端部において前記凸部の高さよりも浅くなるように設定され、前記凸部は前記ゲート溝内を摺動して前記係合孔に係合可能である請求項１に記載の誤穿刺防止用シールド付き医療用針装置。
【請求項３】
前記凸部は、前記ハブの周方向における、前記針管の刃面側およびその裏側に対応しない位置に設けられている請求項１に記載の誤穿刺防止用シールド付き医療用針装置。
【請求項４】
前記凸部は、前記ハブの周方向における、前記針管の刃面側に対応する位置に設けられている請求項１に記載の誤穿刺防止用シールド付き医療用針装置。
【請求項５】
前記シールド筒の側壁から伸びるように設けられた可撓性を有する係止片と、前記係止片の位置に対応させて前記シールド筒に設けられた貫通孔とを更に備え、前記係止片は側方に突出する突起を有し、前記係止片が前記シールド筒に巻き付けられたときに前記突起が前記貫通孔に挿入されて、前記シールド筒内での前記ハブの軸方向移動を規制するように構成された請求項１に記載の誤穿刺防止用シールド付き医療用針装置。
【請求項６】
前記係止片が前記シールド筒に巻き付けられた状態を保持するための係止片保持機構を有する請求項５に記載の誤穿刺防止用シールド付き医療用針装置。
【請求項７】
前記誤穿刺防止用シールドは、前記シールド筒の先端側に結合した一対の翼部を更に備えた翼付きシールドである請求項１に記載の誤穿刺防止用シールド付き医療用針装置。
【請求項８】
前記各翼部は、その翼面から突出するように形成された翼突起を有し、前記シールド筒は、前記各翼突起を挿入可能なように側部の円筒壁に形成された貫通孔を有し、
前記両翼部を前記シールド筒側面に沿って重ね合わせることにより、前記貫通孔を通して前記各翼突起を前記シールド筒内腔に挿入可能であり、それにより、前記各翼突起が前記ハブの前記シールド筒内での軸方向移動を阻止して、前記シールド筒先端から前記針管が所定長さ突出した状態で、前記ハブが前記シールド筒に保持される請求項７に記載の誤穿刺防止用シールド付き医療用針装置。
【発明の詳細な説明】
【０００１】
【発明の属する技術分野】
本発明は、医療用針装置、特に、使用後に針管を安全に収容できる誤穿刺防止用シールド付き医療用針装置に関する。
【０００２】
【従来の技術】
従来、医療施設において、注射針や穿刺針等の誤穿刺による汚染・感染が問題となっている。特に最近ではＢ型肝炎、Ｃ型肝炎やＨＩＶ（ヒト免疫不全ウィルス）等が社会的に広く取り上げられてきたため、誤穿刺等の偶発的な事故を積極的に防止するための手段が要望されている。
【０００３】
そのような誤穿刺を防止するための手段として、円筒状のシールドを注射針に対してスライド可能に設けた構造が知られている。つまり、円筒状シールドをスライドさせることにより、注射針が露出した状態と、シールド内に収納された状態とをとることが可能であり、注射針や穿刺針を使用後に廃棄する際には、針管をシールド内にスライドさせて収納するように構成されている。
【０００４】
そのような構造の例として、特許文献１〜３に記載された注射針装置が知られている。それらの注射針装置は、輸液や輸血、体外血液循環等の処置の際に広く使用される翼付き注射針装置である。翼付き注射針装置は、スライド可能な円筒状のシールドの外周面に翼が取り付けられ、翼はシールドとともに注射針の外側をスライドする。注射針の使用後は、誤穿刺防止のために、シールドをスライドさせて注射針の先端を覆うことができる。
【０００５】
上記のような円筒状シールドを有する注射針装置においては、使用に際して、針管をシールドから突出させた所定の状態で、注射針をシールドに対して位置規制する機構が必要である。特に穿刺操作時には、注射針がシールド内に押し込まれないように保持可能でなければならない。また穿刺操作後に、その状態で注射針を留置させる際に、注射針をシールドに対して所定の位置に保持可能であることが要求される場合もある。注射針が留置された状態から抜去されないようにシールドを穿刺部に固定しても、注射針がシールド内で容易に移動すると、注射針が穿刺部から抜去されてしまう恐れがあるからである。特許文献１〜３に記載された各注射針装置は、注射針をシールドに対して所定の状態に保持するための構造を有する。
【０００６】
また、注射針をシールド内に収納する時には、注射針がシールドに対して容易にスライド可能であることが望ましい。しかしながら、特許文献１に記載の構造の場合、注射針をシールド内に収納する時には、注射針をシールドに対して保持する力が加わった状態のまま、その保持力に抗して注射針をシールド内に引き込まなければならない。特許文献２に記載の構造の場合は、注射針をシールド内に収納する時に、注射針を保持する力を弱めることが可能である。しかしながら、注射針をシールドに対して保持する力を十分に大きく確保しながら、しかも注射針をシールド内に収納する時の力を十分に弱めることは、その構造上困難である。特許文献３に記載の構造によれば、そのような条件が充足される。
【０００７】
【特許文献１】
特公平６−７８６１号公報
【特許文献２】
特開平５−３００９４２号公報
【特許文献３】
米国特許第４，１７０，９３３号明細書
【０００８】
【発明が解決しようとする課題】
しかしながら特許文献３に記載の注射針装置では、注射針を保持するための構造が障害となって、注射針がシールドから突出した使用状態においてシールドに対する注射針の回動が困難な構造になっている。種々の操作に適切に対処できるためには、注射針がシールドから突出した使用状態において、シールドに対して注射針が回動可能であることが望ましい。例えば、穿刺時と穿刺後で針管の刃面の角度を異ならせるために、注射針を回動させる場合があるからである。特許文献１または２に記載の構造においても、注射針がシールドから突出した使用状態において、シールドに対して注射針を回動可能とすることは困難である。
【０００９】
上述の問題は、翼付き注射針装置を例として説明したが、翼を持たない注射針装置についても共通する問題である。
【００１０】
本発明は、注射針がシールドから突出した状態において、注射針のシールド内への移動が不能であるように位置規制し、かつその状態で注射針をシールドに対して回動させることを可能とした、誤穿刺防止用シールド付き医療用針装置を提供することを目的とする。
【００１１】
【課題を解決するための手段】
本発明の誤穿刺防止用シールド付き医療用針装置は、略円筒状のシールド筒を本体とする誤穿刺防止用シールドと、前記シールド筒内に軸方向に移動可能なように挿入され後端部に輸液チューブを接続可能なハブと、前記ハブの先端部に装着された針管とを備え、前記シールド筒の内腔に前記針管の先端を収納可能なように構成される。前記ハブは、先端部の外周面の一部に、前記シールド筒の内径を超えて突出する高さを有する凸部を有し、前記シールド筒は、その内壁に、先端から後端近傍に亘って軸方向に延在するゲート溝が形成され、前記ゲート溝は、先端部において前記ハブ先端部の凸部が嵌合可能な寸法を有する。前記凸部が前記シールド筒の先端から露出した状態において、前記ハブは前記シールド筒に対して回動可能である。前記凸部が前記ゲート溝の先端と対向しない回動位置においては、前記凸部と前記シールド筒の先端面との係合により、前記ハブが前記シールド筒後端部側へ移動不能なように位置規制され、前記凸部が前記ゲート溝の先端と対向する回動位置においては、前記凸部は前記ゲート溝内を摺動可能である。
【００１２】
この構成によれば、注射針がシールドから突出した状態において、凸部とシールド筒先端面との係合により、注射針がシールド内へ移動しないように保持させることが可能である。また、その状態で注射針をシールドに対して回動させることが可能である。
【００１３】
上記構成において好ましくは、前記シールド筒は前記ゲート溝の後端に隣接して形成された係合孔を有し、前記ゲート溝は、前記シールド筒の内壁面からの深さが、後端部において前記凸部の高さよりも浅くなるように設定される。前記凸部は、前記ゲート溝内を摺動して前記係合孔に係合可能である。それにより、針管をシールド筒内に収納した状態で、針管をシールド筒に対して確実に保持することができる。
【００１４】
また好ましくは、前記凸部は、前記ハブの周方向における、前記針管の刃面側およびその裏側に対応しない位置に設けられている。それにより、注射針がシールド内へ移動しないように保持された状態で、針管を穿刺操作に都合の良い状態に設定することができる。その結果、穿刺状態で針管がシールド内に引き込まれるという不測の事態を防止できる。
【００１５】
また好ましくは、前記凸部は、前記ハブの周方向における、前記針管の刃面側に対応する位置に設けられている。その場合、凸部をゲート溝に係合させてシールドに対して注射針を回動不能とし、刃面を上方に向けた際に、穿刺部位に対して凸部が当接することがない。従って、穿刺に適した状態を確実に得ることができる。
【００１６】
また好ましくは、前記シールド筒の側壁から伸びるように設けられた可撓性を有する係止片と、前記係止片の位置に対応させて前記シールド筒に設けられた貫通孔とを更に備え、前記係止片は側方に突出する突起を有し、前記係止片が前記シールド筒に巻き付けられたときに前記突起が前記貫通孔に挿入されて、前記シールド筒内での前記ハブの軸方向移動を規制するように構成される。それにより、シールド筒に対してハブを所望の状態で保持することが可能になる。
【００１７】
また、前記係止片が前記シールド筒に巻き付けられた状態を保持するための係止片保持機構を有することが好ましい。
【００１８】
前記誤穿刺防止用シールドは、前記シールド筒の先端側に結合した一対の翼部を更に備えた翼付きシールドとすることができる。
【００１９】
好ましくは、前記各翼部は、その翼面から突出するように形成された翼突起を有し、前記シールド筒は、前記各翼突起を挿入可能なように側部の円筒壁に形成された貫通孔を有する。前記両翼部を前記シールド筒側面に沿って重ね合わせることにより、前記貫通孔を通して前記各翼突起を前記シールド筒内腔に挿入可能であり、それにより、前記各翼突起が前記ハブの前記シールド筒内での軸方向移動を阻止して、前記シールド筒先端から前記針管が所定長さ突出した状態で、前記ハブが前記シールド筒に保持される。
【００２０】
【発明の実施の形態】
（実施の形態１）
図１は、本発明の実施の形態１における医療用針装置の平面図、図２は図１の左側から見た側面図である。図３Ａは、図１のＡ−Ａ断面の形状を示す断面図である。図３Ｂは、図３Ａの状態から収納動作を行った後の状態を示す断面図である。
【００２１】
１は針管であり、樹脂製のハブ２の先端部に固定されている。ハブ２の後端部にはチューブ３が接続されている。４はシールドであり、樹脂製の略円筒形状を有するシールド筒４ａを本体とする。ハブ２は、シールド筒４ａの内腔に挿入されて、先端部および後端部をシールド筒４ａから突出させることが可能な長さを有する。またハブ２の外径は、シールド筒４ａの内壁との間に、シールド筒４ａに対する回動および軸方向の移動が可能な程度の隙間が形成される大きさを有する。
【００２２】
シールド筒４ａの先端から露出したハブ２の先端部には、外周面の一部に凸部１１が形成されている。凸部１１のハブ２の外表面からの高さは、図２に示すように、シールド筒４ａの内径を超えて凸部１１が突出するように設定されている。シールド筒４ａの外表面には畝状部１２が、図１に示すように、先端から後端近傍に亘って軸方向に延在して形成されている。畝状部１２の内壁にはゲート溝１２ａが、シールド筒４ａの先端から後端近傍に亘って、軸方向に延在して形成されている。ゲート溝１２ａは、先端部において凸部１１が進入可能な寸法を有する。ゲート溝１２ａの後端に隣接して、シールド筒４ａの管壁を貫通する係合孔１３が形成されている。係合孔１３は、凸部１１が嵌合可能な寸法を有する。
【００２３】
図３Ａから判るように、凸部１１は、ゲート溝１２ａの先端から進入してゲート溝１２ａ内を摺動可能である。更に図３Ｂに示されるように、凸部１１はゲート溝１２ａの後端を通過して、係合孔１３に係合することが可能である。その状態においては、針管１の先端はシールド筒４ａの内腔に収納される。
【００２４】
またゲート溝１２ａは、シールド筒４ａの内壁面からの深さが、後端に向かって全体的または部分的に浅くなるように傾斜しており、後端においては凸部１１の高さよりも浅くなっている。従って凸部１１がゲート溝１２ａ内を摺動するとき、後端に近づくに従い、凸部１１の上面がゲート溝１２ａの底面に強い力で当接する状態になる。従って凸部１１は、ゲート溝１２ａの後端を経由するときには弾性変形により高さ方向に圧縮変形され、係合孔１３に係合することにより押圧力が開放されて高さが回復する。その状態においては、凸部１１の先端面と畝状部１２の後端面との当接により、凸部１１は先端側への移動、すなわち逆戻りが不能となる。また凸部１１の後端面と係合孔１３の後端面との当接により、凸部１１の後端側への移動も阻止される。このようにして、凸部１１と係合孔１３の係合により、シールド筒４ａに対してハブ２をロックする機能が得られる。その結果、針管１がシールド筒４ａ内に収納された状態が保持され、誤穿刺を防止した状態が得られる。
【００２５】
以上の構成から明らかなように、図１に示される凸部１１がシールド筒４ａの先端から露出した状態において、ハブ２はシールド筒４ａに対して回動可能である。それにより、図４Ａに示すように、凸部１１がシールド筒４ａの側方に向いた状態にすることができる。図４Ｂは、図４Ａの状態を断面で示す図である。ハブ２がシールド筒４ａに対して回動可能であることにより、シールド４に対する針管１の刃面１ａの回動位置を自由に調整可能であり、穿刺後の種々の操作に対処することができる。
【００２６】
また図４Ａの状態においては、凸部１１がゲート溝１２ａの先端と対向していない。この回動位置においては、凸部１１の後端面とシールド筒４ａの先端面との係合により、ハブ２はシールド筒４ａの後端側への移動を阻止される。従って、例えば穿刺操作の際に凸部１１の回動位置をそのように調整することにより、針管１がシールド筒４ａから突出し、シールド筒４ａ内に押し込まれることのない状態を保持することができる。
【００２７】
以上のように、針管１がシールド筒４ａの先端から所定長さ突出した使用位置において、凸部１１とシールド筒４ａの先端面との係合により、針管１を取り付けたハブ２がシールド筒４ａ内で位置規制される。また、チューブ３の端面がシールド筒４ａの後端に当接すると、ハブ２をシールド筒４ａの先端の向きに更に移動することが阻止される。それにより針管１が、所定長さ以上シールド筒４ａから突出しないように位置規制される。それらの結果、ハブ２を使用位置へ保持する機能が得られる。
【００２８】
使用後に医療用針装置を廃棄する際には、凸部１１の回動位置をゲート溝１２ａに合わせることにより、ハブ２をシールド筒４ａの後端側に容易に移動させ、図３Ｂに示したように、その位置で保持することが可能である。
【００２９】
ハブ２の周方向における、凸部１１と針管１の刃面１ａの位置関係は、用途に応じて設定される。例えば、図４Ａにおいて凸部１１は、ハブ２の周方向における、針管１の刃面１ａに対して９０°の角度をなす位置に設けられている。このように、凸部１１が刃面１ａ側およびその裏側に対応しない位置に設けられることにより、注射針１がシールド筒４ａ内へ移動しないように保持された状態で、針管１を穿刺操作に都合の良い状態に設定することができる。その結果、穿刺状態で針管１がシールド筒４ａ内に引き込まれるという不測の事態を防止できる。あるいは、図５に示すように、凸部１１を刃面１ａに対応する位置に設けることが好都合な場合もある。その場合、凸部１１をゲート溝１２ａに係合させてシールド筒４ａに対して注射針１を回動不能とし、刃面１ａを上方に向けた際に、穿刺部位に対して凸部１１が当接することがない。従って、穿刺に適した状態を確実に得ることができる。
【００３０】
なお、上述の実施の形態では、凸部１１とゲート溝１２が各々１個の場合について例示したが、１個または２個の凸部１１と２個のゲート溝１２の組み合わせとすることも可能である。
【００３１】
上述の基本的な構成に加えて、図６Ａに示すように、シールド筒４ａに対してハブ２を係止する保持機構を別途備えることもできる。図６Ｂは、図６ＡのＢ−Ｂ断面におけるシールド筒４ａを示す。１４は保持機構を構成する係止片であり、シールド筒４ａの側壁から伸びるように設けられ、可撓性を有する。係止片１４は、図６Ｂに示されるように略円弧状をなし、突起１４ａ、および把持用リブ１４ｂが形成されている。係止片１４の先端部には、係合孔１４ｃが形成されている。シールド筒４ａにおける、係止片１４が設けられた部位の反対側の側壁には、固定用突起１５が形成されている。
【００３２】
係止片１４の機能について、図７Ａ〜Ｃを参照して説明する。図７Ａは、図６Ａの状態から、ハブ２がシールド筒４ａ内に若干引き込まれた状態を示す。図７Ｂは、図７ＡのＣ−Ｃ断面を示す。図７Ｃは、図７ＡのＤ−Ｄ断面におけるシールド筒４ａを示す。図７Ｂにのみ示されるが、ハブ２の外表面には、環状溝２ａが形成されている。図７Ａ〜Ｃに示す状態において、環状溝２ａの位置は、係合孔１３の位置と合致している。
【００３３】
これらの図に示されるように、係止片１４は、その可撓性によりシールド筒４ａに巻付けることが可能である。係止片１４をシールド筒４ａに巻付けることにより、突起１４ａは、係合孔１３を通してシールド筒４ａの内腔に突出する。それにより、突起１４ａの先端部が環状溝２ａと係合し、シールド筒４ａに対してハブ２を係止する作用が得られる。ただし、環状溝２ａは必ずしも設ける必要はない。つまり、ハブ２の外表面に突起１４ａの先端が当接し押圧することにより、摩擦力でハブ２を保持することも可能である。
【００３４】
さらに、上記の状態では、図７Ｃに明瞭に示されるように、係止片１４の先端部の係合孔１４ｃと固定用突起１５が係合する。それにより、係止片１４がシールド筒４ａに巻付いた状態が保持される。
【００３５】
以上のような保持機構を備えるのは、次の理由による。すなわち、図６Ａの状態では、凸部１１の回動位置がゲート溝１２ａに合致しており、ハブ２をシールド筒４ａの後端側に移動させることが可能である。針管１をこのような角度に保持したい場合があり、従ってこの状態でシールド筒４ａに対してハブ２を係止し、針管１がシールド筒４ａ内に引き込まれないようにするために、保持機構を設ける。また、図７Ａに示される状態でシールド筒４ａに対してハブ２を係止したい場合もある。この状態では、凸部１１がゲート溝１２ａ内に入り込んでいるため、ハブ２および針管１の回動を規制することができるからである。
【００３６】
なお、係止片１４の突起１４ａをハブ２に係合させるためには、上述のような係合孔１３を用いる構成に限定されることはない。つまり、係止片１４の位置を係合孔１３とは異ならせて、突起１４ａをシールド筒４ａ内に突出させるための貫通孔を別途設けた構成とすることもできる。
【００３７】
（実施の形態２）
図８は、本発明の実施の形態２における医療用針装置の平面図、図９は図８の左側から見た側面図である。図１０は、同装置の平面形状を示す断面図である。この実施形態は、実施の形態１におけるシールド筒４ａに左右の翼を付与して、翼付きシールドとした構成に関する。シールド筒およびハブの基本的な構成は実施の形態１と同様である。従って、実施の形態１における要素と同様の要素については、同一の参照符号を付して説明する。
【００３８】
１は針管であり、樹脂製のハブ２の先端部に固定されている。ハブ２の後端部にはチューブ３が接続されている。２４は翼付きシールドであり、樹脂製の略円筒形状を有するシールド筒２４ａと、左右の翼部５、６からなる。ハブ２は、シールド筒２４ａの内腔に挿入されて、先端部および後端部をシールド筒２４ａから突出させることが可能な長さを有する。またハブ２の外径は、シールド筒２４ａに対する回動および軸方向の移動が容易に可能な程度に、シールド筒２４ａの内壁に対して隙間が形成される大きさに設定されている。
【００３９】
左右の翼部５、６は、シールド筒２４ａの先端部、すなわち針管１が突出する側の端部に設けられている。翼部５、６は、各々シールド筒２４ａの外周面の両側部に結合し、シールド筒２４ａの軸を中心として互いに対称な形状を有する。翼部５、６の基端部領域には、それぞれ翼突起７、８が形成されている。翼突起７、８に対応するシールド筒２４ａの左右の側部壁には、貫通孔９、１０が形成されている。
【００４０】
シールド筒２４ａの先端から露出したハブ２の先端部には、外周面の一部に凸部１１が形成されている。シールド筒２４ａの外表面には畝状部１２が形成され、畝状部１２の内壁にはゲート溝１２ａが形成されている。凸部１１およびゲート溝１２ａ等の構成および作用は実施の形態１と実質的に同様である。
【００４１】
なお凸部１１は、ハブ２の周方向における、針管１の刃面１ａ側およびその裏側に対応しない位置に設けられている。従って、刃面１ａが翼５、６に垂直な方向を向いた状態で、凸部１１がゲート溝１２ａに対向することが防止される。通常、穿刺の際は刃面１ａが翼５、６に垂直な方向を向いた状態にするので、この構成によれば、穿刺の際に針管１がシールド筒２４ａ内に押し込まれることを回避できる。
【００４２】
図１１Ａおよび１１Ｂは、翼部５、６に設けた翼突起７、８の作用を示す。同図は、図８のＥ−Ｅにおける断面図である。翼部５、６を用いる操作は、穿刺に際して行われる。
【００４３】
図１１Ａに示す状態から、翼部５、６をシールド筒２４ａの外表面に沿って上方に持ち上げて、図１１Ｂに示すように、翼突起７、８を貫通孔９、１０に挿入し、シールド筒２４ａの壁を貫通して内腔に突出させる。その結果、ハブ２の外表面に翼突起７、８の先端部が当接する。その当接の押圧力に基づく摩擦力で、ハブ２、すなわち、針管１が翼付きシールド２４に保持される。従って、針管１をしっかりと確保した状態で穿刺操作を行うことができる。両翼部５、６を指で強く挟み込むことにより、翼突起７、８に十分な押圧力を与えてハブ２を強力に保持することも可能である。
【００４４】
なお、シールド筒２４ａの外表面の底部は、患者の皮膚上に安定に配置されるように、平坦に形成されていることが好ましい。また図示ではシールド筒２４ａの内腔は円形であるが、内腔の上側をハブ２の外表面形状に対応する曲面に形成し、内腔面の底部は平坦に形成してもよい。
【００４５】
【発明の効果】
本発明によれば、穿刺操作を行うことが可能なように注射針がシールドから突出した状態において、注射針がシールド内へ移動不能となるように保持させることが可能である。しかもその状態で、注射針をシールドに対して回動させることが可能である。
【図面の簡単な説明】
【図１】本発明の実施の形態１における医療用針装置の平面図
【図２】図１の左側から見た同医療用針装置の側面図
【図３Ａ】図１のＡ−Ａにおける断面図
【図３Ｂ】図３Ａの状態から収納動作を行った後の状態を示す断面図
【図４Ａ】実施の形態１における医療用針装置の動作を示す平面図
【図４Ｂ】図４Ａの状態を断面で示す図
【図５】実施の形態１における医療用針装置の他の態様を示す断面図
【図６Ａ】図１の医療用針装置の改良例を示す平面図
【図６Ｂ】図６ＡのＢ−Ｂにおける断面図
【図７Ａ】図６Ａの医療用針装置の動作を示す平面図
【図７Ｂ】図７ＡのＣ−Ｃにおける断面図
【図７Ｃ】図７ＡのＤ−Ｄにおける断面図
【図８】本発明の実施の形態２における翼付き医療用針装置の平面図
【図９】図８の左側から見た同医療用針装置の側面図
【図１０】同医療用針装置の平面形状を示す断面図
【図１１Ａ】図８のＥ−Ｅにおける断面図
【図１１Ｂ】図１１Ａの状態からの動作を示す断面図
【符号の説明】
１　針管
１ａ　刃面
２　ハブ
２ａ　環状溝
３　チューブ
４　シールド
４ａ　シールド筒
５、６　翼部
７、８　翼突起
９、１０　貫通孔
１１　凸部
１２　畝状部
１２ａ　ゲート溝
１３　係合孔
１４　係止片
１４ａ　突起
１４ｂ　把持用リブ
１４ｃ　係合孔
１５　固定用突起
２４　翼付きシールド
２４ａ　シールド筒
【図１】
2004089674.tif 000003
【図２】
2004089674.tif 000004
【図３Ａ】
2004089674.tif 000005
【図３Ｂ】
2004089674.tif 000006
【図４Ａ】
2004089674.tif 000007
【図４Ｂ】
2004089674.tif 000008
【図５】
2004089674.tif 000009
【図６Ａ】
2004089674.tif 000010
【図６Ｂ】
2004089674.tif 000011
【図７Ａ】
2004089674.tif 000012
【図７Ｂ】
2004089674.tif 000013
【図７Ｃ】
2004089674.tif 000014
【図８】
2004089674.tif 000015
【図９】
2004089674.tif 000016
【図１０】
2004089674.tif 000017
【図１１Ａ】
2004089674.tif 000018
【図１１Ｂ】
2004089674.tif 000019